(57)【要約】【課題】陳列棚の脚を利用しない取付構造とし、陳列棚のデザインや意匠的な自由度を増すことができるようにするとともに、ねじ等の固定手段を使用することなく、パネルを容易に取付けることができるようにした陳列棚へのパネルの取付構造を提供する。【解決手段】エンドパネル７の取付具６は、支柱２の係止孔８に係合可能な係止爪１２ｂを有する第１の取付具１２と、エンドパネル７を保持可能な外側方を向く保持部１３ａを有する第２の取付具１３とにより構成され、第２の取付具１３は第１の取付具に支持手段により支持され、第１の取付具１２を支柱２の外側面側に配置した状態で第１の取付具１２の係止爪１２ｂを係止孔８に係合させ、保持部１３ａによりエンドパネル７を保持する。【選択図】  図２
2020192238.tif 000002
【特許請求の範囲】
【請求項１】
前面に係止孔が設けられた支柱の側面にパネルを取付具により取付けるための陳列棚へのパネルの取付構造であって、
前記取付具は、前記係止孔に係合可能な係止爪を有する第１の取付具と、前記パネルを保持可能な外側方を向く保持部を有する第２の取付具とにより構成され、
前記第２の取付具は前記第１の取付具に支持手段により支持され、
前記第１の取付具を前記支柱の外側面側に配置した状態で前記第１の取付具の前記係止爪を前記係止孔に係合させ、前記保持部により前記パネルを保持することを特徴とする陳列棚へのパネルの取付構造。
【請求項２】
前記係止爪は、前記第１の取付具の前縁に形成された前記支柱の前面に当接可能な内向折曲部に後向きに設けられていることを特徴とする請求項１に記載の陳列棚へのパネルの取付構造。
【請求項３】
前記係止爪は少なくとも上下２個設けられていることを特徴とする請求項１または２に記載の陳列棚へのパネルの取付構造。
【請求項４】
前記支持手段は、前記第１の取付具の上縁に形成された係止溝と、前記第２の取付具の上縁に折曲形成された前記係止溝に上方から係止可能な正面視下向き鉤状の係止フックとからなることを特徴とする請求項１ないし３のいずれかに記載の陳列棚へのパネルの取付構造。
【請求項５】
前記係止フックは、前記支柱の側面と反対方向に外向きに折曲形成され、該係止フックを前記係止溝に前記支柱の側面側から係止させることにより、前記支柱の側面と前記第１の取付具とにより前記第２の取付具を挟み込むことを特徴とする請求項４に記載の陳列棚へのパネルの取付構造。
【請求項６】
前記保持部と該保持部により保持される前記パネルとの対向部には、互いに上下方向から嵌合し合う凹部と凸部が設けられていることを特徴とする請求項１ないし５のいずれかに記載の陳列棚へのパネルの取付構造。
【請求項７】
前記第１の取付具は上下対称をなすように形成され、前記第２の取付具は左右対称をなすように形成されていることを特徴とする請求項１ないし６のいずれかに記載の陳列棚へのパネルの取付構造。
【発明の詳細な説明】
【技術分野】
【０００１】
本発明は、店舗等において物品を陳列する陳列棚の支柱にパネルを取付けるための取付構造に関する。
【背景技術】
【０００２】
例えば特許文献１には、陳列棚の支柱と脚を利用してパネル(特許文献１においてはエンドフレーム)を取付けた取付構造が記載されている。この従来のパネルの取付構造は、平面視後向きコ字状の係合具を、パネルの後部の縦杆に止めねじにより固定し、係合具に設けた係止爪を支柱前面の係止孔に係合させるとともに、前方を向く脚の前端開口部に平面視後向きコ字状の固定具の嵌合片を嵌合させ、固定具に設けた把持片によりパネルの前端下部の外側面を挟持することにより、パネルを陳列棚の脚と支柱に取付けている。
【先行技術文献】
【特許文献】
【０００３】
【特許文献１】特開２０００−９３２３７号公報(段落００１６、００１７、図２、図３)
【発明の概要】
【発明が解決しようとする課題】
【０００４】
特許文献１に記載されているパネルの取付構造においては、パネルの前端下部が陳列棚の脚に取り付けられているので、パネルの取付け高さを変えたり、パネルの下部と脚との間に空間が形成されるように取付けたりすることができず、陳列棚のデザインや意匠的な自由度が制限されるという問題がある。また、係合具は、パネルの後部の縦杆に設けたねじ孔に止めねじを螺合させて固定されているので、係合具の取付けが面倒であるとともに、縦杆にねじ孔を加工するための工数が増えるという問題もある。
【０００５】
本発明は、このような問題点に着目してなされたもので、陳列棚の脚を利用しない取付構造とし、陳列棚のデザインや意匠的な自由度を増すことができるようにするとともに、ねじ等の固定手段を使用することなく、パネルを容易に取付けることができるようにした陳列棚へのパネルの取付構造を提供することを目的とする。
【課題を解決するための手段】
【０００６】
前記課題を解決するために、本発明の陳列棚へのパネルの取付構造は、
前面に係止孔が設けられた支柱の側面にパネルを取付具により取付けるための陳列棚へのパネルの取付構造であって、前記取付具は、前記係止孔に係合可能な係止爪を有する第１の取付具と、前記パネルを保持可能な外側方を向く保持部を有する第２の取付具とにより構成され、前記第２の取付具は前記第１の取付具に支持手段により支持され、前記第１の取付具を前記支柱の外側面側に配置した状態で前記第１の取付具の前記係止爪を前記係止孔に係合させ、前記保持部により前記パネルを保持することを特徴としている。
この特徴によれば、陳列棚の脚を利用しない取付構造であるため、パネルの取付け高さを変えたり、パネルの下部と脚との間に空間が形成されるように取付けたりすることができ、陳列棚のデザインや意匠的な自由度を増すことができる。また、ねじ等の固定手段を使用することなく、第１の取付具と第２の取付具によりパネルを支柱の外側面に容易に取り付けることができる。
【０００７】
本発明の陳列棚へのパネルの取付構造は、前記係止爪は、前記第１の取付具の前縁に形成された前記支柱の前面に当接可能な内向折曲部に後向きに設けられていることを特徴としている。
この特徴によれば、内向折曲部に設けた後向きの係止爪を支柱の前面の係止孔に係合させることにより、第１の取付具を支柱の側面に沿うように体裁よく取付けることができる。また、内向折曲部が支柱の前面に当接することにより、第１の取付具が安定的に取り付けられる。
【０００８】
本発明の陳列棚へのパネルの取付構造は、前記係止爪は少なくとも上下２個設けられていることを特徴としている。
この特徴によれば、支柱に対し第１の取付具が強固に取り付けられるので、第１の取付具により支持される第２の取付具及び第２の取付具により保持されるパネルの安定性が向上する。
【０００９】
本発明の陳列棚へのパネルの取付構造は、前記支持手段は、前記第１の取付具の上縁に形成された係止溝と、前記第２の取付具の上縁に折曲形成された前記係止溝に上方から係止可能な正面視下向き鉤状の係止フックとからなることを特徴としている。
この特徴によれば、簡単な構成の支持手段で第１の取付具により第２の取付具を支持することができるとともに、第１の取付具の係止溝に第２の取付具の係止フックが嵌合しているので、第１の取付具と第２の取付具とが前後方向に相対移動するのが防止される。
【００１０】
本発明の陳列棚へのパネルの取付構造は、前記係止フックは、前記支柱の側面と反対方向に外向きに折曲形成され、該係止フックを前記係止溝に前記支柱の側面側から係止させることにより、前記支柱の側面と前記第１の取付具とにより前記第２の取付具を挟み込むことを特徴としている。
この特徴によれば、第２の取付具が支柱の側面と第１の取付具により挟持されるので左右方向に動くのが防止される。
【００１１】
本発明の陳列棚へのパネルの取付構造は、前記保持部と該保持部により保持される前記パネルとの対向部には、互いに上下方向から嵌合し合う凹部と凸部が設けられていることを特徴としている。
この特徴によれば、凹部と凸部を嵌合させることにより、ねじ等の固定手段を使用することなく、第２の取付具の保持部により保持されるパネルが前後方向に移動するのを防止することができる。
【００１２】
本発明の陳列棚へのパネルの取付構造は、前記第１の取付具は上下対称をなすように形成され、前記第２の取付具は左右対称をなすように形成されていることを特徴としている。
この特徴によれば、第１の取付具を上下逆向きにするとともに、第２の取付具を左右逆向きにして使用することにより、第１の取付具、第２の取付具及びパネルを左右共通化して左右の支柱に対称的に取付けることができ、部品点数を削減してコスト低減が図れる。
【図面の簡単な説明】
【００１３】
【図１】本発明の実施例に係るパネルの取付構造により陳列棚の左右の支柱にサイドパネルを取付けた状態の斜視図である。
【図２】同じく右方の支柱へのサイドパネルの取付構造を拡大して示す斜視図である。
【図３】（ａ）は、取付具を構成する第１、第２の取付具を外側方より見た拡大分解斜視図、(ｂ)は、同じく第１、第２の取付具を内側方より見た拡大分解斜視図である。
【図４】第１の取付具により第２の取付具を支持したときの拡大斜視図である。
【図５】第１、第２の取付具を左右共通化して左側の支柱に取付ける場合の斜視図である。
【図６】図２のVI−VI線に沿う拡大縦断面図である。
【図７】サイドパネルの上部の取付具の拡大斜視図である。
【図８】変形例に係るパネルの取付構造により陳列棚の左右の支柱にエンドパネルを取付けた状態の斜視図である。
【発明を実施するための形態】
【００１４】
本発明の陳列棚へのパネルの取付構造を実施するための形態を実施例に基づいて以下に説明する。
【実施例】
【００１５】
実施例に係る陳列棚へのパネルの取付構造につき、図１から図７を参照して説明する。図１において、陳列棚１は、左右１対の支柱２、２と、両支柱２、２の下端部に後端部が固定された前方に向かって延出する脚３、３と、支柱２、２の上端部及び下端部同士を連結する横連結杆４、４と、左右の支柱２、２と上下の横連結杆４、４とにより囲まれた空間を塞ぐバックパネル５と、左右の支柱２、２の上半部の外側面に取付具６により取り付けられたサイドパネル７、７とを備えている。
【００１６】
左右の支柱２、２の前面には、左右２列の多数の係止孔８、８が上下方向に所定間隔おきに列設され、両支柱２、２の左右方向内側の係止孔８に後端部が係止された上下複数のブラケット(図示略)により棚板９が支持されている。
【００１７】
本発明のパネルに相当するサイドパネル７は、側面視ほぼ縦長長方形の基枠１０に複数のワイヤ１１が縦横に張設されたネット状をなすもので、その上下寸法は例えば支柱２の上下寸法のほぼ半分の長さとされ、下端部が最下段の棚板９の側方に位置するように取り付けられている。
【００１８】
図３及び図４に示すように、サイドパネル７の取付具６は、支柱２に取付けられる板状の第１の取付具１２と、この第１の取付具１２により支持される板状の第２の取付具１３とからなり、第１、第２の取付具１２、１３は例えば鋼板等により形成されている。なお、第１、第２の取付具１２、１３を硬質合成樹脂により形成することもできる。
【００１９】
第１の取付具１２の前縁には、後面が支柱２の前面に当接可能な内向折曲部１２ａが形成され、この内向折曲部１２ａの左方の内端縁には、支柱２の外側の上下２個の係止孔８に係止可能な上下１対の係止爪１２ｂ、１２ｂが後向きに連設されている。内向折曲部１２ａの上下方向の中央部には、支柱２の前面に広く当接しうるように内向折曲部１２ａから連続して延びる幅広部１２ｃが形成されている。第１の取付具１２の後方寄りの上縁と下縁には、係止溝１２ｄ、１２ｄが上下対称的に形成されている。
【００２０】
第２の取付具１３は、第１の取付具１２の上下寸法よりも所定寸法長く形成され、下縁には、サイドパネル７における基枠１０の下部水平杆１０ａの後端部を保持可能な正面視逆Ｌ字状をなす保持部１３ａが外側方に向かって連設されている。第２の取付具１３の上縁の中央部には、第１の取付具１２の上部側の係止溝１２ｄに上方から係止可能な、係止溝１２ｄの溝幅とほぼ等しい前後寸法の下向き鉤状の係止フック１３ｂが、支柱２の外側面と反対方向に外向きに折曲形成されている。保持部１３ａの底面の中央部には、基枠１０の下部水平杆１０ａの後端部に設けられた後述する嵌合孔１４（図４）に嵌合されるピン状の凸部１３ｃが上向きに突設されている。なお、第１の取付具１２の係止溝１２ｄと第２の取付具１３の係止フック１３ｂは、本発明の支持手段に相当する。
【００２１】
図４に示すように、第２の取付具１３の係止フック１３ｂを、第１の取付具１２の上部側の係止溝１２ｄに支柱２の外側面側から係止させることにより、第２の取付具１３が第１の取付具１２により支持された状態の取付具６が形成される。この際、第１の取付具１２の係止溝１２ｄに第２の取付具１３の係止フック１３ｂが嵌合しているので、第１の取付具１２と第２の取付具１３とが前後方向に相対移動するのが防止される。
【００２２】
第２の取付具１３を第１の取付具１２により支持した状態で、第１の取付具１２の上下の係止爪１２ｂ、１２ｂを支柱２の外側の上下２個の係止孔８、８に係止させると、支柱２の外側面と第１の取付具１２とにより第２の取付具１３が挟み込まれた態様となり、第２の取付具１３が左右方向に動くのが防止される。また、第１の取付具１２の内向折曲部１２ａの後面と幅広部１２ｃが支柱２の前面に当接するので、第１の取付具１２が支柱２に安定的に取り付けられる。
【００２３】
第１の取付具１２は上下対称をなすように形成され、第２の取付具１３は左右対称をなすように形成されている。従って、図５に示すように、第１の取付具１２を上下逆向きにするとともに、第２の取付具１３を左右逆向きにして使用することにより、第１の取付具１２、第２の取付具１３及びサイドパネル７を左右共通化して左側の支柱２に対称的に取付けることができ、部品点数を削減してコスト低減が図れる。
【００２４】
次に、取付具６を用いて右側の支柱２にサイドパネル７を取付ける要領を説明する。なお、左側の支柱２へのサイドパネル７の取付け要領については左右対称であるため説明を省略する。図２に示すように、第２の取付具１３を第１の取付具１２により支持した状態で、上述したように、第１の取付具１２の係止爪１２ｂ、１２ｂを支柱２の中間部の外側の係止孔８、８に係止させる。
【００２５】
次いで、第２の取付具１３の保持部１３ａにサイドパネル７の基枠１０の下部水平杆１０ａの後端部を嵌合させて保持する。この際、図６に示すように、保持部１３ａの底面に突設された凸部１３ｃに、下部水平杆１０ａの後端部下面に設けられた凹部としての嵌合孔１４を上方から嵌合する。これにより、サイドパネル７の後下部が前後方向に移動するのが防止されて支柱２の外側面に取り付けられる。
【００２６】
次いで、サイドパネル７の基枠１０の上部水平杆１０ｂの後端部を、支柱２の上端部の外側面に上部取付具１５を用いて取付ける。上部取付具１５は、図７に拡大して示すように、上部水平杆１０ｂの後端部を保持する正面視倒立Ｌ字状をなす保持部１５ａと、保持部１５ａの上片の左側縁の中央部に連設された下向片１５ｂと、下向片１５ｂ前後の端縁から内側方に突出する前後１対の係合フック１５ｃ１５ｃとを備えている。
【００２７】
上部取付具１５の保持部１５ａをサイドパネル７の上部水平杆１０ｂの後端部に上方から嵌合するとともに、支柱２の上端開口部より挿入した１対のフック状の係合片１５ｃ、１５ｃの基部を、支柱２の外側の側面板の上端部に形成されたスリット(図示略)に嵌合して係合させ、下向片１５ｂと１対の係合片１５ｃとにより支柱２の外側の側面板を挟持する。これにより、支柱２の上端部に上部取付具１５が固定されるとともに、サイドパネル７の上部水平杆１０ｂの後端部が上部取付具１５により保持される。なお、保持部１５ａの上片の下面の中央部には、下向きの凸部１５ｄが突設され、この凸部１５ｄを上部水平杆１０ｂの後端部の上面に設けられた嵌合孔(図示略)に嵌合することにより、サイドパネル７の後上部が前後方向に移動するのが防止されるようになっている。
【００２８】
以上のようにして、支柱２の外側面にサイドパネル７を前方に延出するように安定的に取付けることができ、上下の棚板９の両側方にサイドパネル７が位置することにより棚板９に載置された物品が側方から落下するのが防止される。なお、サイドパネル７の高さを支柱２の上端よりも低くなるように取付ける場合は、下部と同様の取付具６を使用して、上部水平杆１０ｂの後端部を支柱２の外側面に取付けることができる。
【００２９】
以上説明したように、実施例に係るパネルの取付構造においては、陳列棚１の脚３を利用しない取付構造であるため、サイドパネル７の取付け高さを変えたり、サイドパネル７の下部と脚３との間に空間が形成されるように取付けたりすることができ、陳列棚１のデザインや意匠的な自由度を増すことができる。また、ねじ等の固定手段を使用することなく、下部の取付具６と上部の取付具１５によりサイドパネル７を支柱２の外側面に前方に延出するように容易に取り付けることができる。
【００３０】
以上、本発明の実施例を図面に基づいて説明してきたが、具体的な構成はこれら実施例に限られるものではなく、本発明の要旨を逸脱しない範囲内における追加や変更があっても、本発明に含まれる。
【００３１】
例えば、前記実施例では、パネルをサイドパネル７として、支柱２に前方に延出するように取付けているが、図８に示すように、パネルを前後幅の大きなエンドパネルＥとして、支柱２の前後両方向に延出するように支柱２の外側面に取り付けることもできる。この際には、エンドパネルＥの上下の水平杆の中間部を取付具６と上部取付具１５を利用して支柱２に取り付ければよい。このような幅広のエンドパネルＥを取付けると、棚板９，９を背中合わせにして使用する場合に便利である。
【００３２】
また、前記実施例では、支柱２の側面と第１の取付具１２により第２の取付具１３が挟み込まれるように、第２の取付具１３の係止フック１３ｂを支柱２の側面と反対方向に外向きに折曲してあるが、係止フック１３ｂを実施例とは反対に内向きに折曲し、第２の取付具１３を第１の取付具１２の外側に配置した状態で、係止フック１３ｂを第１の取付具１２の係止溝１２ｄに外側から係止するようにしてもよい。
【００３３】
さらに、前記実施例では、ネット状のサイドパネル７を使用しているが、板状のパネルを取付ける際にも本発明を適用することができる。
【００３４】
さらに、前記実施例では、第１，第２の取付具１２，１３によりサイドパネル７の下端を支柱２に取り付けているが、下端に限らない。例えば、取り付け位置は上下方向の中間位置であってもよく、上端であってもよい（この場合には上部取付具１５を省略してもよい）。
【００３５】
さらに、前記実施例では、サイドパネル７が支柱２の長さよりも短いが、サイドパネル７は支柱２と同程度の長さであってもよい。
【００３６】
さらに、前記実施例では、サイドパネル７が支柱２の上方に取り付けられているが、支柱２の上方に空間を残して下方側に取り付けられていてもよい。
【符号の説明】
【００３７】
１  陳列棚
２  支柱
３  脚
４  横連結杆
５  バックパネル
６  取付具
７  サイドパネル(パネル)
８  係止孔
９  棚板
１０  基枠
１０ａ  下部水平杆
１０ｂ  上部水平杆
１１  ワイヤ
１２  第１の取付具
１２ａ  内向折曲部
１２ｂ  係止爪
１２ｃ  幅広部
１２ｄ  係止溝
１３  第２の取付具
１３ａ  保持部
１３ｂ  係止フック
１３ｃ  凸部
１４  嵌合孔(凹部)
１５  上部取付具
１５ａ  保持部
１５ｂ  下向片
１５ｃ  係合片
１５ｄ  凸部
【図１】
2020192238.tif 000003
【図２】
2020192238.tif 000004
【図３】
2020192238.tif 000005
【図４】
2020192238.tif 000006
【図５】
2020192238.tif 000007
【図６】
2020192238.tif 000008
【図７】
2020192238.tif 000009
【図８】
2020192238.tif 000010